(57)【要約】【課題】外出時の車の始動により、宅内のセキュリテイ機器を自動的に警戒設定状態にすることができる通信システムを提供することを目的とする。【解決手段】車１２のキー１７のトリガーにより、宅内装置１１のセキュリテイ機器５を自動的に警戒設定状態にする構成としたものである。これにより、車１２に乗車する一連の流れの中で、外出しようとして車１２を始動すれば、宅内のセキュリテイ機器５を自動的に警戒設定状態にすることができて利便性が向上する。【選択図】図１
2005327019.tif 000002
【特許請求の範囲】
【請求項１】
宅内装置と、この装置と通信可能な車とを備え、前記宅内装置は、宅内のセキュリテイ機器と、前記セキュリテイ機器のデータを記憶する記憶手段と、前記セキュリテイ機器と通信して遠隔制御するための無線通信手段と、前記セキュリテイ機器を外部のネットワーク網と接続し通信する情報通信手段と、前記記憶手段、セキュリテイ機器、無線通信手段、情報通信手段からの情報を送受、制御する制御手段とを有し、前記車は、前記宅内装置の情報通信手段と通信する情報通信手段と、この情報通信手段を制御する制御手段と、車を始動するためのキーと、ナビゲーション機能を有する表示手段とを有し、前記キーのトリガーにより、前記セキュリテイ機器を警戒設定状態にする構成とした通信システム。
【請求項２】
車の表示手段は、セキュリテイ機器の警戒設定状態のデータを表示するとともに、ナビゲーション表示とセキュリテイ機器のデータ表示とを切替え操作可能とした請求項１に記載の通信システム。
【請求項３】
車は位置情報手段を有し、宅内装置から離れた時に表示手段へのセキュリテイ機器の警戒設定状態のデータを非表示とし、接近した時に表示する構成とした請求項１または２に記載の通信システム。
【発明の詳細な説明】
【技術分野】
【０００１】
本発明は、特に、車から宅内のセキュリテイ機器を制御する通信システムに関するものである。
【背景技術】
【０００２】
従来、この種の通信システムは、図４に示すように、玄関先などから操作スイッチ１で各種センサ群２〜４であるガス漏れ、火災、防犯カメラを動作確認するように構成されている。そして、操作スイッチ１は玄関の外にも同様の操作スイッチが配設され、その指令により各種センサ群２〜４と通信を行い動作が確認できるようになっていた（例えば、特許文献１参照）。
【特許文献１】特開平０６−５２４８１号公報
【発明の開示】
【発明が解決しようとする課題】
【０００３】
しかしながら、前記従来の通信システムにおいて、車が今日普及している中で、車から宅内の制御を行ないたいニーズがでてきた。携帯電話での宅外からの制御は、可能であるが車を運転中での携帯電話の制御は、安全運転上できない。また、外出しようとする時に宅内のセキュリテイ機器の警戒設定は、時間的な余裕がとれない課題があった。
【０００４】
本発明は、前記従来の課題を解決するもので、外出時の車の始動により、宅内のセキュリテイ機器を自動的に警戒設定状態にすることができる通信システムを提供することを目的とするものである。
【課題を解決するための手段】
【０００５】
前記従来の課題を解決するため、本発明の通信システムは、車のキーのトリガーにより、宅内のセキュリテイ機器を自動的に警戒設定状態にする構成としたものである。
【０００６】
これにより、車に乗車する一連の流れの中で、外出しようとして車を始動すれば、宅内のセキュリテイ機器を自動的に警戒設定状態にすることができて利便性が向上する。
【発明の効果】
【０００７】
本発明の通信システムは、外出時の車の始動により、宅内のセキュリテイ機器を自動的に警戒設定状態にすることができて利便性が向上する。
【発明を実施するための最良の形態】
【０００８】
第１の発明は、宅内装置と、この装置と通信可能な車とを備え、前記宅内装置は、宅内のセキュリテイ機器と、前記セキュリテイ機器のデータを記憶する記憶手段と、前記セキュリテイ機器と通信して遠隔制御するための無線通信手段と、前記セキュリテイ機器を外部のネットワーク網と接続し通信する情報通信手段と、前記記憶手段、セキュリテイ機器、無線通信手段、情報通信手段からの情報を送受、制御する制御手段とを有し、前記車は、前記宅内装置の情報通信手段と通信する情報通信手段と、この情報通信手段を制御する制御手段と、車を始動するためのキーと、ナビゲーション機能を有する表示手段とを有し、前記キーのトリガーにより、前記セキュリテイ機器を警戒設定状態にする構成とした通信システムとすることにより、車に乗車する一連の流れの中で、外出しようとして車を始動すれば、宅内のセキュリテイ機器を自動的に警戒設定状態にすることができて利便性が向上する。
【０００９】
第２の発明は、第１の発明において、車の表示手段は、セキュリテイ機器の警戒設定状態のデータを表示するとともに、ナビゲーション表示とセキュリテイ機器のデータ表示とを切替え操作可能とすることにより、外出しようとして車を始動すれば、宅内のセキュリテイ機器を自動的に警戒設定状態にすることができ、表示手段の画面上には、自動的に現在のセキュリテイ機器の警戒設定状態を表示することができる。つまり、外出しようとして、車のキーでエンジンをスタートする時には、いつでもセキュリテイ機器の警戒設定状態が確認でき、使用者には安心感を与える上に、面倒な作業が不要である。その上、ナビゲーション表示とセキュリテイ機器のデータ表示とを切替え操作可能であり、利便性が向上する。
【００１０】
第３の発明は、第１または第２の発明において、車は位置情報手段を有し、宅内装置から離れた時に表示手段へのセキュリテイ機器の警戒設定状態のデータを非表示とし、接近した時に表示する構成としたことにより、宅内装置から車が離れた時にはセキュリテイ機器の警戒設定状態からナビゲーション表示に自動的に切り替り、表示切替え操作が不要である。また、宅内装置に車が接近する時にはナビゲーション表示からセキュリテイ機器の状態や警戒設定状態へ表示切り替るので、留守中に異常報知がなかったか否かなどセキュリティ機器の様子を確認でき、異常が事前にわかれば警察などへ事前に通報できる、異常がなければ安心して帰宅・入室することができる効果がある。
【００１１】
（実施の形態１）
図１は、本発明の実施の形態１における通信システムを示している。
【００１２】
図に示すように、本実施の形態における通信システムは、宅内装置１１と、この装置と通信可能な車１２とを備えている。
【００１３】
前記宅内装置１１は、電子錠など、宅内のセキュリテイ機器５と、前記セキュリテイ機器５のデータを記憶する記憶手段６と、前記セキュリテイ機器５と通信して遠隔制御するための無線通信手段７と、前記セキュリテイ機器５を外部のネットワーク網８と接続し通信する情報通信手段９と、前記記憶手段６、セキュリテイ機器５、無線通信手段７、情報通信手段９からの情報を送受、制御する制御手段１０とを有する。
【００１４】
また、前記車１２は、前記宅内装置１１の情報通信手段９と通信する情報通信手段１３と、この情報通信手段１３を制御する制御手段１４と、車を始動するためのキー１７と、地図などを表示しナビゲーション機能を有する表示手段１５とを有している。なお、前記キー１７は車１２のドアをワイヤレス通信で開閉する機能も備えている。
【００１５】
そして、前記キー１７による車１２の始動トリガーにより、前記セキュリテイ機器５を警戒設定状態にする構成となっているものであり、使用者は、車に乗車する一連の流れの中で、外出しようとして車を始動すれば、宅内のセキュリテイ機器５を自動的に警戒設定状態にすることができるものである。
【００１６】
次に、本実施の形態における通信システムの動作、作用について説明する。
【００１７】
宅内装置１１の制御手段１０は、使用者が車１２のキー１７操作によるトリガーがかかると、車からの情報通信手段１３からのアクセスによって、記憶手段６に登録されたセキュリテイ機器５の制御状態を返信する。そして、車１２からの警戒設定の制御指令の基づいて制御手段１０からセキュリテイ機器５へ無線通信手段７によってセキュリテイ機器５の警戒設定状態の制御が行われる。その結果は記憶手段６に再度記憶される。また、セキュリテイ機器５と制御手段１０の間は、８０２．１１ｘなどのプロトコルや特定小電力無線による無線通信手段７によってデータの伝送を行なうこともでき、その媒体は限定されるものではない。また、宅内装置１１の情報通信手段９と車１２の情報通信手段１３とは、インターネット網で接続する場合、車１２からの宅内装置１１へのアクセス方法は、インターネット網の無線ＬＡＮでアクセスしてもよい。また、特定小電力の無線媒体を使用する場合、車のキー１７にワイヤレスで通信する通信部を入れて、車のドアを開閉したり、その開閉信号からのトリガーで車側の情報通信手段１３から宅内装置１１のセキュリテイ機器５に通信したりしてもよい。
【００１８】
そして、ネットワーク網８と接続された情報通信手段９へ警戒設定状態完了や、セキュリテイ機器５の状態のデータを送信し、車１２のナビゲーション機能を有する表示手段１５に表示してもよい。
【００１９】
なお、セキュリテイ機器５としては、電子錠を挙げたが、ガス漏れや火災予防機器あるいは防犯カメラなどであっても良いものである。
【００２０】
（実施の形態２）
図２は、本発明の実施の形態２における通信システムを示し、表示手段での機器の状態表示例を示している。実施の形態１と同一要素については同一符号を付して説明を省略する。
【００２１】
本実施の形態においては、車１２の表示手段１５は、セキュリテイ機器５の警戒設定状態のデータを表示するとともに、ナビゲーション表示とセキュリテイ機器のデータ表示とを切替え操作可能としているものである。
【００２２】
これにより、外出しようとして車１２を始動すれば、宅内のセキュリテイ機器５を自動的に警戒設定状態にすることができ、表示手段１５の画面上には、自動的に現在のセキュリテイ機器５の警戒設定状態を表示することができる。つまり、外出しようとして、車のキー１７でエンジンをスタートする時には、いつでもセキュリテイ機器５の警戒設定状態が確認でき、使用者には安心感を与える上に、面倒な作業が不要なものである。その上、ナビゲーション表示とセキュリテイ機器のデータ表示とを切替え操作可能としたことにより、利便性を向上させている。
【００２３】
図２（ａ）は、車のキー１７の操作によるトリガーで、宅内装置１１のセキュリテイ機器５と通信した結果を表示手段１５にナビゲーション表示と同時に自動的に表示している。この使用者の場合、電子錠が登録されていて、電子錠に警戒設定されていることを示している。この時、一時的に「施錠しました」と表示することや、音声で報知することや、表示手段１５に表示されているアイコンの色を変えて警戒設定されたことを示してもよい。また、宅内装置１１のセキュリテイ機器５の状態を確認したい時には、電子錠のアイコンをタッチするとその指令は、車からの情報通信手段１３、制御手段１４を介して宅内装置１１の制御手段１０へセキュリテイ機器５の状態を要求する。そして、セキュリテイ機器５の状態はネットワーク網８を介して車１２の方へ転送され、ナビゲーション表示されているところへ割り込む形で表示手段１５に図２（ｂ）のように表示される。
【００２４】
図２（ｂ）の場合、セキュリテイ機器５である電子錠は「警戒設定中」で閉の状態であるから、開にしたい場合は、電子錠解除のアイコンにタッチすれば、その指令が車１２の情報通信手段１３からネットワーク網８を介して宅内装置１１のセキュリテイ機器５である電子錠に指令が行き電子錠は開動作するものである。
【００２５】
なお、宅外から制御され宅内装置１１に登録されているセキュリテイ機器５は、車１２と宅内装置１１との通信により表示手段１５上にそのアイコンは自動的に表示される。
【００２６】
また、その表示の方法は、ナビゲーション表示と並列でもかまわないし、単独表示でもよく、表示方法が限定されるものでない。また、ナビゲーション表示に切換えたい時は、表示手段１５の解除ボタンにタッチすれば、再びナビゲーション表示にもどるものでもよいし、音声認識などの他の技術手段で自動的に表示する形式でもよい。
【００２７】
このようにして、車１２の中から、宅内装置１１とネットワークを結ぶことによって、宅内装置１１のセキュリテイ機器５の様子を制御、確認することができる。
【００２８】
（実施の形態３）
図３は、本発明の実施の形態３における通信システムを示すものである。実施の形態１と同一要素については同一符号を付して説明を省略する。
【００２９】
本実施の形態においては、車１２は、ナビゲーションに登録される使用者の自宅の位置情報を記憶した位置情報手段１６を有し、車１２が宅内装置１１からある程度離れた時に表示手段１５へのセキュリテイ機器５データを非表示とし、接近した時に表示する構成としたものである。
【００３０】
これにより、宅内装置１１から車１２が離れた時にはセキュリテイ機器５の警戒設定状態からナビゲーション表示に自動的に切り替り、表示切替え操作が不要である。また、宅内装置１１に車１２が接近する時にはナビゲーション表示からセキュリテイ機器５の状態や警戒設定状態へ表示が切り替るので、留守中に異常報知がなかったか否かなどセキュリティ機器５の様子を確認でき、異常が事前にわかれば警察などへ事前に通報できる、異常がなければ安心して帰宅・入室することができる効果がある。
【００３１】
なお、表示手段１５へのセキュリテイ機器５データを表示、非表示にするためのトリガーは、位置情報手段１６の自宅との距離の関係から決定され、そのパラメーター設定はナビゲーション側で、使用者が決定できるしくみを入れても良いし、タイマーなどである時間表示することでもよい。また、緯度経度や、使用者が予め登録しておく地点を通過したことを検出してトリガーするなど、トリガーの方法は限定されるものでない。
【産業上の利用可能性】
【００３２】
以上のように、本発明にかかる通信システムは、外出時の車の始動により、宅内のセキュリテイ機器を自動的に警戒設定状態にすることができて利便性が向上するので、自動車関係のナビゲーション機能の拡大が可能である。
【図面の簡単な説明】
【００３３】
【図１】本発明の実施の形態１における通信システムの構成図
【図２】（ａ）本発明の実施の形態２における表示手段の表示例を示す図（ｂ）本発明の実施の形態２における表示手段の表示例を示す図
【図３】本発明の実施の形態３における通信システムの構成図
【図４】従来の通信システムの構成図
【符号の説明】
【００３４】
５  セキュリテイ機器
６  記憶手段
７  無線通信手段
８  ネットワーク網
９、１３  情報通信手段
１０、１４  制御手段
１１  宅内装置
１２  車
１５  表示手段
１６  位置情報手段
１７  キー
【図１】
2005327019.tif 000003
【図３】
2005327019.tif 000004
【図４】
2005327019.tif 000005
【図２】
2005327019.tif 000006